(57)【要約】      （修正有）【課題】前掛けレンズを掛着可能な磁気接続部材を提供する。【解決手段】眼鏡の眼鏡枠１０と眼鏡脚３０とを結合するものであり、該眼鏡枠１０の一方の側には結合部１１が設けられている。該磁気接続部材２０は、接続本体２１と、磁石ベース２２と、磁石２３とを含む。該接続本体２１の一端は、該眼鏡枠１０の結合部１１と接続される。該磁石ベース２２は、該接続本体２１から外方へ延在する。該磁石２３は、該磁石ベース２２内に結合される。該磁気接続部材２０により眼鏡枠１０と眼鏡脚３０とが接続された後、該磁石２３は該眼鏡枠結合部１１の内側に位置付けられ、前掛けレンズ４０と結合されることで、該眼鏡は前掛けレンズ４０を掛着可能な機能を有する。【選択図】図３
0003208672.tif 000002
【実用新案登録請求の範囲】
【請求項１】
眼鏡の眼鏡枠と眼鏡脚とを結合するものであり、前記眼鏡枠の両側には結合部がそれぞれ設けられている接続本体と、
前記接続本体から外方へ延在する磁石ベースと、
前記磁石ベース内に結合され、前記眼鏡枠の結合部と前記接続本体とが結合された後、前記結合部の内側に位置付けられ、前記前掛けレンズと結合される磁石と、
を備えることを特徴とする前掛けレンズを掛着可能な磁気接続部材。
【請求項２】
前記接続本体は、対向する第１端と第２端とを有し、前記接続本体の第１端は、前記眼鏡枠の結合部と接続し、前記磁石ベースは、前記接続本体の第１端から外方へ延在し嵌めリング形態となり、前記磁石ベースの頂部には開口が設けられていることを特徴とする請求項１に記載の前掛けレンズを掛着可能な磁気接続部材。
【請求項３】
前記接続本体は、対向する第１端と第２端とを有し、前記接続本体の第１端は、前記眼鏡枠の結合部と接続し、前記磁石ベースは、前記接続本体の第２端から外方へ延在し嵌めリング形態となり、前記磁石ベースの頂部には開口が設けられていることを特徴とする請求項１に記載の前掛けレンズを掛着可能な磁気接続部材。
【考案の詳細な説明】
【技術分野】
【０００１】
本考案は、眼鏡に適用される接続部材に関し、特に薄枠眼鏡に前掛けレンズを掛着可能にする磁気接続部材に関するものである。
【背景技術】
【０００２】
従来、前掛け型眼鏡は、主にメイン眼鏡と前掛けレンズとからなる。前掛けレンズは、遮光、偏光等の効果を有する機能性レンズであることが多い。屋外環境の光が強くまぶしい場合、前掛けレンズをメイン眼鏡の前方に掛着するだけで、メイン眼鏡の遮光機能を増加することができ、それに代わる別の眼鏡をかける必要はない。前掛けレンズの体積が小さくかつ重量が軽く、容易に身に着けて携帯できるため、使用上の利便性が高い。
【０００３】
従来の前掛け眼鏡の構造は、メイン眼鏡の眼鏡枠と前掛けレンズに対応する箇所にそれぞれ磁石が設けられることが一般的である。当該２つの磁石の相互吸引により、前掛けレンズは、メイン眼鏡に対して組み合わせまたは分離することができる。しかしながら、従来の前掛けレンズ構造は薄枠型眼鏡に適用されない。具体的には、薄枠眼鏡の眼鏡枠と眼鏡脚の材料は一般的には金属シート材であり、磁石の埋設には適用されない。また、眼鏡枠に埋設された磁石の交換も容易ではない。さらに、薄枠眼鏡の眼鏡枠と眼鏡脚は、通常、薄板状の接続部材により結合されるため、該薄板接続部材内での磁石の埋設にも不利となる。
【考案の概要】
【考案が解決しようとする課題】
【０００４】
そこで、本考案は、薄枠眼鏡の眼鏡枠と眼鏡脚とを結合することで、薄枠眼鏡にも前掛けレンズを掛着可能な機能を有し、状況不良な磁石を容易に交換可能にする、前掛けレンズを掛着可能な磁気接続部材を提供することを目的とする。
【課題を解決するための手段】
【０００５】
本考案に係る磁気接続部材は、接続本体と、磁気ベースと、磁石とを含む。該接続本体は、眼鏡枠と眼鏡脚とを結合するためのものであり、該眼鏡枠の両側には結合部がそれぞれ設けられている。該磁石ベースは、該接続本体から外方へ延在している。該磁石は該磁石ベース内に結合されることで、該眼鏡枠の結合部と該接続本体とが結合された後、該磁石は該結合部の内側に位置付けられ、前掛け眼鏡と結合される。
【考案の効果】
【０００６】
本考案に係る磁気接続部材によれば、薄枠眼鏡の眼鏡枠と眼鏡脚との組み合わせに適用されるため、薄枠眼鏡に前掛けレンズを掛着可能な機能を有し、また、該磁気接続部材は従来の薄枠眼鏡の接続部材に代わる機能を有するため、一般の薄枠眼鏡も前掛けレンズを掛着可能な効果を有する。
【図面の簡単な説明】
【０００７】
【図１】本考案に係る一実施例の磁気接続部材と眼鏡枠の模式図である。
【図２】図１の磁気接続部材の分解模式図である。
【図３】図１の磁気接続部材が前掛けレンズの掛着に適用される模式図である。
【図４】本考案に係る他の実施例の磁気接続部材の分解模式図である。
【考案を実施するための形態】
【０００８】
図１及び図３は、眼鏡の眼鏡枠１０と眼鏡脚３０とを接続するための本考案に係る磁気接続部材２０を示す。眼鏡枠１０の両側は、それぞれ外方へ結合部１１（図には眼鏡枠１０の一方の側のみ図示されている）が延在し、結合部１１の頂部と底部にはスリット１２がそれぞれ設けられている。眼鏡脚３０の先端には、係合部３１が設けられている。この実施例において、該眼鏡は薄枠眼鏡であり、眼鏡枠１０及び眼鏡脚３０はそれぞれ金属シート構造である。
【０００９】
磁気接続部材２０は、接続本体２１と、磁石ベース２２と、永久磁石２３とを含む。接続本体２１は、異なる形の薄枠眼鏡に応じて構造を変更可能である。この実施例において、接続本体２１は、対向する第１端２１１と第２端２１２とを有し、接続本体２１内には第１端２１１から第２端２１２まで延在した貫通溝２１３が設けられている。接続本体２１の第１端２１１は、眼鏡枠１０の結合部１１と接続される。この実施例において、眼鏡枠１０の結合部１１は、第１端２１１から貫通溝２１３内に挿入し、接続本体２１と結合される。さらに、第１端２１１の頂部と底部には、スリット２１４がそれぞれ設けられている。眼鏡枠１０の結合部１１が貫通溝２１３内に挿入結合された後、結合部１１のスリット１２はスリット２１４と揃えられ、眼鏡脚３０の係合部３１は、スリット１２とスリット２１４内に係入結合可能となる。この実施例において、磁石ベース２２は、接続本体２１の第１端２１１から前方または外方へ延在し嵌めリング形態となる。眼鏡枠１０の結合部１１が接続本体２１と結合された後、磁石ベース２２は結合部１１の内側に位置付けられる（図３参照）。さらに、磁石ベース２２の内部には収容室２２１が設けられ、磁石ベース２２の頂部には開口２２２が設けられているため、磁石２３は、開口２２２から磁石ベース２２の収容室２２１内に収容され結合可能となる。
【００１０】
図３は、磁気接続部材２０が結合された眼鏡枠１０に前掛けレンズ４０を掛着可能であり、前掛け眼鏡として構成される様子を示す。前掛けレンズ４０の側縁には結合部１１と磁石ベース２２の上方に対向する延長アーム４１が設けられ、延長アーム４１の底面には磁気部材４２が設けられている。磁気部材４２と磁石２３との磁気作用により、前掛けレンズ４０を該薄枠眼鏡の眼鏡枠１０の前方に容易に結合することができる。
【００１１】
磁気接続部材２０により眼鏡枠１０と眼鏡脚３０とを結合した後、眼鏡枠１０に前掛けレンズ３０を掛着可能な機能を有するとともに、磁石２３が磁石ベース２２内に安定的に固着されるため、脱落することはない。さらに、磁気接続部材２０を交換するだけで状況不良な磁石を容易に交換することができる。また、磁気接続部材２０により一般の薄枠眼鏡の接続部材を交換する場合、これらの薄枠眼鏡は、前掛けレンズを掛着可能な機能を有する。
【００１２】
図４は、本考案に係る磁気接続部材２０の他の実施例を示す。この実施例において、該磁気接続部材２０の磁石ベース２２は、接続本体２１の第２端２１２から後方または外方へ延在し嵌めリング形態となる。これにより、磁気接続部材２０を有する眼鏡枠１０は、同様に前掛けレンズ４０を掛着可能である。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、眼鏡の眼鏡枠と眼鏡脚とを結合するものであり、前記眼鏡枠の両側には結合部がそれぞれ設けられている接続本体と、前記接続本体から外方へ延在する磁石ベースと、前記磁石ベース内に結合され、前記眼鏡枠の結合部と前記接続本体とが結合された後、前記結合部の内側に位置付けられ、前記前掛けレンズと結合される磁石と、を備えることを特徴とする前掛けレンズを掛着可能な磁気接続部材とするものである。
【００１５】
また、前記接続本体は、対向する第１端と第２端とを有し、前記接続本体の第１端は、前記眼鏡枠の結合部と接続し、前記磁石ベースは、前記接続本体の第１端から外方へ延在し嵌めリング形態となり、前記磁石ベースの頂部には開口が設けられているものとする。
【００１６】
また、前記接続本体は、対向する第１端と第２端とを有し、前記接続本体の第１端は、前記眼鏡枠の結合部と接続し、前記磁石ベースは、前記接続本体の第２端から外方へ延在し嵌めリング形態となり、前記磁石ベースの頂部には開口が設けられているものとする。
【産業上の利用可能性】
【００１７】
本考案に係る磁気接続部材によれば、薄枠眼鏡の眼鏡枠と眼鏡脚との組み合わせに適用されるため、薄枠眼鏡に前掛けレンズを掛着可能な機能を有し、また、該磁気接続部材は従来の薄枠眼鏡の接続部材に代わる機能を有するため、一般の薄枠眼鏡も前掛けレンズを掛着可能な効果を有する。
【符号の説明】
【００１８】
１０  眼鏡枠
１１  結合部
１２  スリット
２０  磁気接続部材
２１  接続本体
２１１  第１端
２１２  第２端
２１３  貫通溝
２１４  スリット
２２  磁石ベース
２２１  収容室
２３  磁石
３０  眼鏡脚
３１  係合部
４０  前掛けレンズ
４１  延長アーム
４２  磁気部材
【図１】
0003208672.tif 000003
【図２】
0003208672.tif 000004
【図３】
0003208672.tif 000005
【図４】
0003208672.tif 000006